【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
複数のコンテンツを蓄積するコンテンツデータデースからコンテンツをユーザに提示するコンテンツ推薦装置であって、ユーザごとにコンテンツに関連付けられたコンテンツ属性の重視度を記憶する属性重視度データベースからコンテンツ属性の重視度を取得する手段と、ユーザごとに前記コンテンツ属性における属性値の重視度を記憶する属性値重視度データベースから前記属性値の重視度を取得する手段と、前記取得したコンテンツ属性の重視度および前記属性値の重視度とに基づいてコンテンツの検索条件を決定する検索条件決定手段と、コンテンツを識別する識別子と前記識別子により識別されたコンテンツに関するコンテンツ属性及び属性値とをコンテンツごとに記憶しているコンテンツ特徴量データベースから前記検索条件に基づいて推薦するコンテンツの識別子を選択するコンテンツ選択手段と、前記選択された識別子に基づいて、前記コンテンツデータベースからコンテンツを取得してユーザに提示する手段とを有することを特徴とするコンテンツ推薦装置。
【請求項２】
複数のコンテンツを蓄積するコンテンツデータベースからコンテンツを推薦するコンテンツ推薦装置であって、、ユーザごとにコンテンツに関連付けられたコンテンツ属性の重視度を記憶する属性重視度データベースからコンテンツ属性の重視度を取得する手段と、ユーザごとに前記コンテンツ属性における属性値の重視度を記憶する属性値重視度データベースから前記属性値の重視度を取得する手段と、前記取得したコンテンツ属性の重視度および前記属性値の重視度とからコンテンツの検索条件を決定する検索条件決定手段と、コンテンツを識別する識別子と前記識別子により識別されたコンテンツに関するコンテンツ属性及び属性値とをコンテンツごとに記憶しているコンテンツ特徴量データベースから、前記検索条件に基づいて推薦するコンテンツの識別子を選択するコンテンツ選択手段と、前記コンテンツ選択手段による選択結果を表示する手段を有することを特徴とするコンテンツ推薦装置。
【請求項３】
前記検索条件決定手段は、当該ユーザに関するコンテンツ属性の全属性に対して前記コンテンツ属性の重視度に比例した確率でコンテンツ属性を選択し、当該コンテンツ属性について前記属性値の重視度に比例した確率で属性値を選択し、当該コンテンツ属性の当該属性値を検索条件とすることを特徴とする請求項２に記載のコンテンツ推薦装置。
【請求項４】
前記検索条件決定手段は、当該ユーザに関するコンテンツ属性の全属性に対して前記コンテンツ属性の重視度に比例した確率でランダムにコンテンツ属性を選択し、当該コンテンツ属性について前記属性値の重視度に比例した確率でランダムに属性値を選択し、当該コンテンツ属性の当該属性値を検索条件とすることを特徴とする請求項２に記載のコンテンツ推薦装置。
【請求項５】
前記検索条件決定手段は、当該ユーザに関するコンテンツ属性の全属性に対して前記コンテンツ属性の重視度に比例した確率でコンテンツ属性に順序付けを行い、検索結果数が所定の範囲内になるまで、上位の属性から順に、当該コンテンツ属性について前記属性値の重視度に比例した確率で属性値を選択し、当該コンテンツ属性の当該属性値を検索条件として追加することを特徴とする請求項２に記載のコンテンツ推薦装置。
【請求項６】
前記コンテンツ属性の重視度と前記属性値の重視度とに関連付けられた複数のユーザ像ステレオタイプを記憶しているステレオタイプデータベースから、ユーザのステレオタイプ選択を受け付けるステレオタイプ選択受付手段にて受け付けたステレオタイプ選択により、ユーザに関するコンテンツ属性の重視度と当該属性値の重視度を設定する重視度設定手段とをさらに有することを特徴とする請求項２に記載のコンテンツ推薦装置。
【請求項７】
前記コンテンツ属性の重視度と前記属性値の重視度とに関連付けられたアンケート項目を記憶しているアンケートデータベースから、ユーザのアンケート入力を受け付けるアンケート受付手段にて入力されたアンケートにより、ユーザに関するコンテンツ属性の重視度と当該属性の属性値の重視度を設定する重視度設定手段とをさらに有することを特徴とする請求項２に記載のコンテンツ推薦装置。
【請求項８】
前記推薦されたコンテンツに対するユーザの評価の入力を受け付ける評価入力手段と、前記受け付けた評価から前記属性値の重視度を更新する属性値重視度更新手段とをさらに有することを特徴とする請求項２に記載のコンテンツ推薦装置。
【請求項９】
前記推薦されたコンテンツに対するユーザの評価の入力を受け付ける評価入力手段と、前記受け付けた評価から前記コンテンツ属性の重視度を更新する属性重視度更新手段とをさらに有することを特徴とする請求項２に記載のコンテンツ推薦装置。
【請求項１０】
前記コンテンツ属性と前記属性値ごとに、推薦したコンテンツ数とユーザが正の評価を与えたコンテンツ数とを記憶する履歴記憶手段をさらに有し、前記属性値重視度更新手段は、推薦したコンテンツ数とユーザが正の評価を与えたコンテンツ数とから前記属性値の重視度を更新することを特徴とする請求項９に記載のコンテンツ推薦装置。
【請求項１１】
前記コンテンツ属性と前記属性値ごとに、推薦したコンテンツ数とユーザが正の評価を与えたコンテンツ数とを記憶する履歴記憶手段をさらに有し、前記属性重視度更新手段は、推薦したコンテンツ数とユーザが正の評価を与えたコンテンツ数とから前記コンテンツ属性の重視度を更新することを特徴とする請求項１０に記載のコンテンツ推薦装置。
【請求項１２】
前記属性値重視度更新手段は、前記ユーザが正の評価を与えたコンテンツ数を前記推薦したコンテンツ数で除算した値を重視度とすることを特徴とする請求項１１に記載のコンテンツ推薦装置。
【請求項１３】
前記属性重視度更新手段は、前記コンテンツ属性ごとに、属性値別の前記推薦したコンテンツ数を要素とするベクトルと、属性値別の前記ユーザが正の評価を与えたコンテンツ数のベクトルとの正弦を重視度とすることを特徴とする請求項１２に記載のコンテンツ推薦装置。
【請求項１４】
前記コンテンツはカラオケメロディ、または着信メロディであることを特徴とする請求項２に記載のコンテンツ推薦装置。
【請求項１５】
コンピュータにより実行され、複数のコンテンツを蓄積するコンテンツデータベースからコンテンツを推薦するコンテンツ推薦方法であって、ユーザごとにコンテンツに関連付けられたコンテンツ属性の重視度を記憶する属性重視度データベースからコンテンツ属性の重視度を取得するステップと、ユーザごとに前記コンテンツ属性における属性値の重視度を記憶する属性値重視度データベースから前記属性値の重視度を取得するステップと、前記取得したコンテンツ属性の重視度および前記属性値の重視度とからコンテンツの検索条件を決定する検索条件決定ステップと、コンテンツを識別する識別子と前記識別子により識別されたコンテンツに関するコンテンツ属性及び属性値とをコンテンツごとに記憶しているコンテンツ特徴量データベースから、前記検索条件に基づいて推薦するコンテンツの識別子を選択するコンテンツ選択ステップと、前記コンテンツ選択ステップによる選択結果を表示するステップを有することを特徴とするコンテンツ推薦方法。
【請求項１６】
請求項１５記載のコンテンツ推薦方法をコンピュータに実行させるためのプログラム。
【請求項１７】
請求項１５に記載のコンテンツ推薦方法をコンピュータに実行させるためのプログラムを格納したプログラム記録媒体。
【手続補正２】
【補正対象書類名】明細書
【補正対象項目名】０００５
【補正方法】変更
【補正の内容】
【０００５】
【課題を解決するための手段】
本発明は、複数のコンテンツを蓄積するコンテンツデータデースからコンテンツをユーザに提示するコンテンツ推薦装置であって、ユーザごとにコンテンツに関連付けられたコンテンツ属性の重視度を記憶する属性重視度データベースからコンテンツ属性の重視度を取得する手段と、ユーザごとに前記コンテンツ属性における属性値の重視度を記憶する属性値重視度データベースから前記属性値の重視度を取得する手段と、前記取得したコンテンツ属性の重視度および前記属性値の重視度とに基づいてコンテンツの検索条件を決定する検索条件決定手段と、コンテンツを識別する識別子と前記識別子により識別されたコンテンツに関するコンテンツ属性及び属性値とをコンテンツごとに記憶しているコンテンツ特徴量データベースから前記検索条件に基づいて推薦するコンテンツの識別子を選択するコンテンツ選択手段と、前記選択された識別子に基づいて、前記コンテンツデータベースからコンテンツを取得してユーザに提示する手段とを有することを特徴とするコンテンツ推薦装置である。
【手続補正３】
【補正対象書類名】明細書
【補正対象項目名】０００６
【補正方法】変更
【補正の内容】
【０００６】
【発明の実施の形態】
本発明の第一の実施形態は、複数のコンテンツを蓄積するコンテンツデータベースからコンテンツを推薦するコンテンツ推薦装置であって、、ユーザごとにコンテンツに関連付けられたコンテンツ属性の重視度を記憶する属性重視度データベースからコンテンツ属性の重視度を取得する手段と、ユーザごとに前記コンテンツ属性における属性値の重視度を記憶する属性値重視度データベースから前記属性値の重視度を取得する手段と、前記取得したコンテンツ属性の重視度および前記属性値の重視度とからコンテンツの検索条件を決定する検索条件決定手段と、コンテンツを識別する識別子と前記識別子により識別されたコンテンツに関するコンテンツ属性及び属性値とをコンテンツごとに記憶しているコンテンツ特徴量データベースから、前記検索条件に基づいて推薦するコンテンツの識別子を選択するコンテンツ選択手段と、前記コンテンツ選択手段による選択結果を表示する手段を有するものである。
【手続補正４】
【補正対象書類名】明細書
【補正対象項目名】０００７
【補正方法】変更
【補正の内容】
【０００７】
好ましくは、前記検索条件決定手段は、当該ユーザに関するコンテンツ属性の全属性に対して前記コンテンツ属性の重視度に比例した確率でコンテンツ属性を選択し、当該コンテンツ属性について前記属性値の重視度に比例した確率で属性値を選択し、当該コンテンツ属性の当該属性値を検索条件とするものである。
【手続補正５】
【補正対象書類名】明細書
【補正対象項目名】０００８
【補正方法】変更
【補正の内容】
【０００８】
好ましくは、前記検索条件決定手段は、当該ユーザに関するコンテンツ属性の全属性に対して前記コンテンツ属性の重視度に比例した確率でコンテンツ属性に順序付けを行い、検索結果数が所定の範囲内になるまで、上位の属性から順に、当該コンテンツ属性について前記属性値の重視度に比例した確率で属性値を選択し、当該コンテンツ属性の当該属性値を検索条件として追加するものである。
【手続補正６】
【補正対象書類名】明細書
【補正対象項目名】０００９
【補正方法】変更
【補正の内容】
【０００９】
好ましくは、前記コンテンツ属性と前記属性値ごとに、推薦したコンテンツ数とユーザが正の評価を与えたコンテンツ数とを記憶する履歴記憶手段をさらに有し、前記属性値重視度更新手段は、推薦したコンテンツ数とユーザが正の評価を与えたコンテンツ数とから前記属性値の重視度を更新するものである。
【手続補正７】
【補正対象書類名】明細書
【補正対象項目名】００１０
【補正方法】変更
【補正の内容】
【００１０】
好ましくは、前記コンテンツ属性の重視度と前記属性値の重視度とに関連付けられた複数のユーザ像ステレオタイプを記憶しているステレオタイプデータベースから、ユーザのステレオタイプ選択を受け付けるステレオタイプ選択受付手段にて受け付けたステレオタイプ選択により、ユーザに関するコンテンツ属性の重視度と当該属性値の重視度を設定する重視度設定手段とをさらに有する。
【手続補正８】
【補正対象書類名】明細書
【補正対象項目名】００１１
【補正方法】変更
【補正の内容】
【００１１】
好ましくは、前記コンテンツ属性の重視度と前記属性値の重視度とに関連付けられたアンケート項目を記憶しているアンケートデータベースから、ユーザのアンケート入力を受け付けるアンケート受付手段にて入力されたアンケートにより、ユーザに関するコンテンツ属性の重視度と当該属性の属性値の重視度を設定する重視度設定手段とをさらに有する。
【手続補正９】
【補正対象書類名】明細書
【補正対象項目名】００１２
【補正方法】変更
【補正の内容】
【００１２】
好ましくは、前記推薦されたコンテンツに対するユーザの評価の入力を受け付ける評価入力手段と、前記受け付けた評価から前記属性値の重視度を更新する属性値重視度更新手段とをさらに有する。
【手続補正１０】
【補正対象書類名】明細書
【補正対象項目名】００１３
【補正方法】変更
【補正の内容】
【００１３】
好ましくは、前記推薦されたコンテンツに対するユーザの評価の入力を受け付ける評価入力手段と、前記受け付けた評価から前記コンテンツ属性の重視度を更新する属性重視度更新手段とをさらに有する。
【手続補正１１】
【補正対象書類名】明細書
【補正対象項目名】００１４
【補正方法】変更
【補正の内容】
【００１４】
以下、本発明の実施の形態について図面を参照しながら説明する。